(57)【特許請求の範囲】
【請求項１】
商品又はサービスを提供する提供者の端末装置から送信された、該商品又はサービスの提供場所を示す提供場所データを含む情報データが記憶された情報データベースにアクセスして、該情報データを取得する情報データ取得手段と、
携帯端末機の所在位置を検知する位置検知手段と、
該位置検知手段により検知された該携帯端末機の所在位置が、前記商品又はサービスの提供場所に応じて決定された所定地域内であったときに、該携帯端末機に対して、商品又はサービスの提供場所として該所定地域内の場所を示す前記提供場所データを含む前記情報データを、該携帯端末機の基地局を介して送信する情報データ送信手段とを備えた情報配信システムであって、
前記基地局は、前記基地局の通話エリア内に所在する各携帯端末機から、各携帯端末機に固有に設定された識別データを受信することにより、該通話エリア内に所在する携帯端末機を認識し、
前記基地局の通話エリアよりも狭い前記所定地域内のエリア内に、前記基地局とは別個に設けられて、受信感度が前記基地局よりも低く設定され、前記所定地域内に所在する各携帯端末機から、各携帯端末機の前記識別データを受信する識別データ受信機と通信可能であって、該識別データ受信機から送信される前記識別データを受信する識別データ受信手段を備え、
前記位置検知手段は、前記識別データ受信機を介して前記識別データ受信手段により受信された前記識別データから、該識別データに対応する携帯端末機が前記所定地域内に所在することを検知し、
前記情報データ送信手段は、前記位置検知手段により前記識別データから前記所定地域内に所在することが検知された、該識別データに応じた携帯端末機に対して、前記基地局を介して、前記情報取得手段により取得された前記情報データを送信することを特徴とする情報配信システム。
【請求項２】
前記識別データ受信手段は、複数の前記識別データ受信機と通信可能であって、
前記所定地域は、複数の前記識別データ受信機の組合せによる受信エリアであることを特徴とする請求項１記載の情報配信システム。
【請求項３】
前記所定地域は、特定の前記提供者により商品又はサービスが提供される場所を中心として区画され、前記情報データは該提供者の端末装置から送信されたものであることを特徴とする請求項１又は請求項２記載の情報配信システム。
【発明の詳細な説明】
【０００１】
【発明の属する技術分野】
本発明は、所定地域内に所在する携帯端末機に対して、該所定地域に関する情報を送信する情報配信システムに関する。
【０００２】
【従来の技術】
従来より、携帯電話の基地局によりカバーされるエリア内に所在する携帯電話機に対して、広告等の情報データを送信するシステムが提案されている（特開２０００−２２４６５８号公報等）。しかし、携帯電話の基地局によりカバーされるエリアは、基地局を中心とした例えば半径数ｋｍ程度の広い範囲内である。
【０００３】
そのため、この場合には、前記エリア内の例えば特定のショッピングモール内に所在する携帯電話機の所持者が、該ショッピングモール内の店舗で提供される商品やサービスに関する情報を得るためには、前記エリアを対象として送信される膨大な情報データの中から、該ショッピングモールに関する情報を検索しなければならないという不便さがあった。
【０００４】
また、携帯電話の基地局は、通話エリアが途切れないように設けられればよいので、特に商品やサービスが提供される場所を考慮して設けられるわけではない。そのため、基地局を中心としたエリアが、必ずしも商品やサービスに関する情報の配信に適したエリアであるとは限らないという不都合があった。
【０００５】
【発明が解決しようとする課題】
本発明は、上記背景を鑑みてなされたものであり、商品又はサービスが提供される場所に応じて特定された所定地域内に所在する携帯電話機に対して、該所定地域に関する情報データを配信することができる情報配信システムを提供することを目的とする。
【０００６】
【課題を解決するための手段】
上記目的を達成するため、本発明は、商品又はサービスを提供する提供者の端末装置から送信された、該商品又はサービスの提供場所を示す提供場所データを含む情報データが記憶された情報データベースにアクセスして、該情報データを取得する情報データ取得手段と、携帯端末機の所在位置を検知する位置検知手段と、該位置検知手段により検知された該携帯端末機の所在位置が、前記商品又はサービスの提供場所に応じて決定された所定地域内であったときに、該携帯端末機に対して、商品又はサービスの提供場所として該所定地域内の場所を示す前記提供場所データを含む前記情報データを、該携帯端末機の基地局を介して送信する情報データ送信手段とを備えた情報配信システムであって、前記基地局は、前記基地局の通話エリア内に所在する各携帯端末機から、各携帯端末機に固有に設定された識別データを受信することにより、該通話エリア内に所在する携帯端末機を認識し、前記基地局の通話エリアよりも狭い前記所定地域内のエリア内に、前記基地局とは別個に設けられて、受信感度が前記基地局よりも低く設定され、前記所定地域内の所在する各携帯端末機から、各携帯端末機の前記識別データを受信する識別データ受信機と通信可能であって、該識別データ受信機から送信される前記識別データを受信する識別データ受信手段を備え、前記位置検知手段は、前記識別データ受信機を介して前記識別データ受信手段により受信された前記識別データから、該識別データに対応する携帯端末機が前記所定地域内に所在することを検知し、前記情報データ送信手段は、前記位置検知手段により前記識別データから前記所定地域内に所在することが検知された、該識別データに応じた携帯端末機に対して、前記基地局を介して、前記情報取得手段により取得された前記情報データを送信することを特徴とする。
【０００７】
かかる本発明によれば、前記位置検知手段により前記携帯端末機の所在位置が検知されるため、前記情報データ送信手段は、前記携帯端末機が前記所定地域内に所在するか否かを判断することができる。したがって、前記情報データ送信手段は、例えば商店街や映画街等の商品又はサービスが提供される場所に応じて任意の広さや形状で区画された前記所定地域内に所在する携帯端末機に対して、該所定地域に関する前記情報データを送信することができる。
【０００８】
さらに本発明によれば、前記識別データ受信機は、該識別データ受信機の感度に応じてその広さが広狭する該識別データ受信機を中心とした範囲内に所在する前記携帯端末機から送信される前記識別データを受信する。そのため、前記所定地域の広狭に応じてその感度を調節した前記識別データ受信機を、該所定地域の地形に応じて１個若しくは複数個設け、該識別データ受信機から送信される前記識別データを受信することにより、前記検知手段は、前記所定地域内に所在する携帯端末機を検知することができる。
【０００９】
また、前記識別データ受信手段は、複数の前記識別データ受信機と通信可能であって、前記所定地域は、複数の前記識別データ受信機の組み合わせによる受信エリアであることが好ましい。
【００１０】
また、前記所定地域は、特定の前記提供者により商品又はサービスが提供される場所を中心として区画され、前記情報データは該提供者の端末装置から送信されたものであることを特徴とする。
【００１１】
かかる本発明によれば、特定の前記提供者により商品又はサービスが提供される場所を中心として区画された前記所定地域内に所在する前記携帯端末機を対象として、該特定の提供者の端末装置から送信された前記情報データを効率良く送信することができる。
【００１２】
【発明の実施の形態】
本発明の実施の形態について、図１〜図２を参照して説明する。図１は所定地域内に該所定地域に関する情報データを配信する本発明の情報配信システムの実施の形態の全体構成図、図２は本発明に関連した実施の形態の全体構成図である。
【００１３】
先ず図１を参照して、本発明の情報配信システムの第１の実施の形態について説明する。本実施の形態における情報配信システム１は、携帯電話の基地局２、基地局２によりカバーされる通話エリアＸよりも狭いエリアＡ１，Ａ２，Ａ３内にそれぞれ設けられた識別データ受信機５ａ，５ｂ，５ｃ、及びエリアＡ１，Ａ２，Ａ３により構成される配信エリアＹ（本発明の所定地域に相当する）内に所在する店舗４ａ，４ｂ，４ｃと公衆回線又は専用回線を介してそれぞれ通信可能に接続されている。
【００１４】
通話エリアＸ内の配信エリアＹ内に所在する携帯電話３（３ａ，３ｂ，３ｃ）は、待機状態にあるときは基地局２に対して各携帯電話３に固有に設定された識別データを送信し、基地局２は該識別データを受信することにより通話エリアＸ内に所在する携帯電話３を認識している。そして、通話時には、各携帯電話３と基地局２との間で、種々のデータ（通話データ、文字データ、画像データ等）が送受信される。
【００１５】
識別データ受信機５（５ａ，５ｂ，５ｃ）は、基地局２と同様に携帯電話３から送信される識別データを受信するが、その受信感度は基地局２よりも低く設定されている。そのため、識別データ受信機５ａにより識別データが受信されるのはエリアＡ１内に所在する携帯電話３ａに限定される。同様に、識別データ受信機５ｂにより識別データが受信されるのはエリアＡ２内に所在する携帯電話３ｂに限定され、識別データ受信機５ｃにより識別データが受信されるのはエリアＡ３内に所在する携帯電話３ｃに限定される。
【００１６】
この場合、配信エリアＹの範囲は、各識別データ受信機５の設置場所と受信感度に応じて任意に設定することができる。また、識別データ受信機５の設置台数は１台でも複数でもよく、複数の識別データ受信機５の組み合わせにより、配信エリアＹの形状も詳細に区画することができる。そして、識別データ受信機５は、受信した識別データ２１を情報配信システム１に送信する。
【００１７】
また、配信エリアＹ内で商品又はサービスを提供する店舗４（４ａ，４ｂ，４ｃ、本発明の提供者に相当する）は、該店舗４に設けられた端末装置（本発明の提供者の端末装置に相当する）から、配信エリアＹ内に所在する携帯電話３に対して配信することを希望する情報データ２０（商品又はサービスの提供場所として配信エリアＹ内の場所を示す本発明の提供場所データが含まれる）を含む配信依頼データを情報配信システム１に送信する。
【００１８】
情報配信システム１は、店舗４から送信される情報データ２０を受信して記憶する情報データベース１０、情報データベース１０に記憶された情報データ２０を取り出す情報データ取得手段１１、識別データ受信機５から送信される識別データ２１を受信する識別データ受信手段１２、識別データ２１から配信エリアＹ内に所在する携帯電話３を検知する位置検知手段１３、及び基地局２を介して配信エリアＹ内に所在する携帯電話３に対して情報データを配信する情報データ送信手段１４を備える。
【００１９】
位置検知手段１３は、識別データ受信手段１２によりリアルタイムに受信される配信エリアＹ内に所在する携帯電話３の識別データ２１を情報データ送信手段１４に出力する。これにより、情報データ送信手段１４は、配信エリアＹ内に所在する携帯電話３の識別データをリアルタイムに取得することができる。
【００２０】
一方、情報データベース１０には、配信エリアＹ内の店舗４や、他の配信エリア内の店舗から必要に応じてランダムに送信される情報データ２０が順次記憶される。そして、情報データ取得手段１１は、該情報データ２０と共に送信された配信条件（配信時間、配信エリア等）を参照して、配信エリアＹが指定された情報データ２０を、指定された配信時間になったときに情報データ送信手段１４に出力する。
【００２１】
そして、情報データ送信手段１４は、情報データ取得手段１１から入力した情報データ２０と位置検知手段１３から入力した配信エリアＹ内に所在する携帯電話３の識別データ２１とを基地局２に送信する。これに応じて、基地局２は、識別データ２１に応じた携帯電話３（エリアＹ内に所在する携帯電話３）に対して情報データ２０を配信する。
【００２２】
次に、図２を参照して、本発明に関連した実施の形態について説明する。なお、上述した本発明の実施の形態と同様の構成については、同一の符号を付して説明を省略する。
【００２３】
本実施の形態における携帯電話３１（３１ａ，３１ｂ，３１ｃ）はＧＰＳ機能を有し、複数の移動衛星３２（３２ａ，３２ｂ）からの電波を受信することによって自らの位置を検知する。そして、各携帯電話３１は、検知した位置を表す位置データと、各携帯電話３１に固有に設定された識別データとを基地局２に送信し、基地局２は位置データ５０と識別データ２１とを情報配信システム４０に送信する。
【００２４】
情報配信システム４０は、携帯電話３１から送信される位置データ５０と識別データ２１とを基地局２を介して受信するデータ受信手段４１、位置データ５０から携帯電話３１の位置を検知する位置検知手段４２、及び店舗４の所在地に応じて区画された配信エリアＢ（本発明の所定地域に相当する）に所在する携帯電話３１に対して情報データ２０を送信する情報データ送信手段４３を備える。
【００２５】
位置検知手段４２は、データ受信手段４１により基地局２を介してリアルタイムで受信される携帯電話３１の位置データ５０と識別データ２１とから、該識別データ２１に応じた携帯電話３１の所在位置を検知することができる。そのため、位置検知手段４２は、配信エリアＢ内に所在する携帯電話３１を認識することができる。
【００２６】
そして、情報データ取得手段１１は、上述した本発明の実施の形態と同様に、情報データ２０と共に送信された配信条件（配信時間、配信エリア等）を参照して、配信エリアＢが指定された情報データ２０を、指定された配信時間になったときに情報データ送信手段４３に出力する。
【００２７】
情報データ送信手段４３は、情報データ取得手段１１から取得した情報データ２０と位置検知手段４２から入力した配信エリアＢ内に所在する携帯電話３１の識別データ２１とを基地局２に送信する。これに応じて、基地局２は、識別データ２１に応じた携帯電話３１（エリアＢ内に所在する携帯電話３１）に対して情報データ２０を配信する。
【００２８】
ここで、エリアＢは、店舗４の所在位置に応じて任意に設定することができ、また、時間帯に応じて配信エリアＢの広狭を変化させたり、不連続のエリアを組合わせて一つの配信エリアＢを設定することもできる。
【００２９】
また、上述した本発明及び本発明に関連した実施の形態において、特定の１店舗４ａを中心とした範囲を配信エリアとして設定して、該配信エリア内に該店舗４ａの情報データを配信する場合のように、情報データの配信依頼者ごとに異なる配信エリアを設定して、情報データを配信することもできる。
【００３０】
この場合、本発明の実施の形態においては、図１を参照して、例えば店舗４ａがエリアＡ１の中心付近に位置するときはエリアＡ１を配信エリアに設定し、エリアＡ１内に所在する携帯電話３ａに対して、該店舗４ａに関する情報を配信すればよい。また、店舗４ａがエリアＡ１内のエリアＡ２と近接する場所に位置するときには、エリアＡ１とエリアＡ２とからなる範囲を配信エリアとして設定し、エリアＡ１内に所在する携帯電話３ａとエリアＡ２内に所在する携帯電話３ｂに対して、該店舗４ａに関する情報を配信すればよい。
【００３１】
なお、本実施の形態では、本発明の携帯端末装置として携帯電話を示したが、ＰＤＡや携帯パソコン等、その他の携帯型の情報端末であってもよい。
【図面の簡単な説明】
【図１】本発明の情報配信システムの実施の形態の全体構成図。
【図２】本発明に関連した情報配信システムの実施の形態の全体構成図。
【符号の説明】
１…情報配信システム、２…基地局、３…携帯電話、４…店舗、５…識別データ受信機、１０…情報データベース、１１…情報データ取得手段、１２…識別データ受信手段、１３…位置検知手段、１４…情報データ送信手段、３２…移動衛星、４０…情報配信システム、４１…データ受信手段、４２…位置検知手段、４３…情報データ送信手段
【図１】
0004849719.tif 000002
【図２】
0004849719.tif 000003